(57)【要約】【課題】複数の空間を移動する被監視対象者の安否を監視する安否監視システムと、安否監視サーバと、安否監視プログラム並びに安否監視方法を得る。【解決手段】各室温センサが出力する各室温センサが設置されている空間内の室温を示す室温情報を受信する室温情報受信部と、各人感センサが出力する各人感センサが設置されている空間内の被監視対象者の所在の有無を示す所在情報を受信する所在情報受信部と、許容室温と判定時間とが記憶されている記憶部と、室温情報と、所在情報と、記憶部に記憶されている判定時間と、に基づいて、平均滞在室温を算出する平均滞在室温算出部と、監視情報を生成して端末に送信する監視情報送信部と、備え、監視情報送信部は、平均滞在室温と、許容室温と、に基づいて、監視情報の送信を決定する。【選択図】図１
2015056031.tif 000002
【特許請求の範囲】
【請求項１】
被監視対象者が所在し得る複数の空間ごとに設置された室温センサと人感センサと、
前記各室温センサと前記各人感センサとが出力する情報を受信するサーバと、
前記サーバが生成する監視情報を受信する端末と、
を有してなる安否監視システムであって、
前記サーバは、
前記各室温センサが出力する各室温センサが設置されている空間内の室温を示す室温情報を受信する室温情報受信部と、
前記各人感センサが出力する各人感センサが設置されている空間内の前記被監視対象者の所在の有無を示す所在情報を受信する所在情報受信部と、
許容室温と判定時間とが記憶されている記憶部と、
前記室温情報受信部が受信した室温情報と、前記所在情報受信部が受信した所在情報と、前記記憶部に記憶されている判定時間と、に基づいて、前記被監視対象者が滞在した空間内の室温の単位時間当たりの平均値を示す平均滞在室温を算出する平均滞在室温算出部と、
前記監視情報を生成して前記端末に送信する監視情報送信部と、
を備え、
前記監視情報送信部は、前記平均滞在室温算出部が算出した平均滞在室温と、前記記憶部に記憶されている許容室温と、に基づいて、前記監視情報の送信を決定する、
ことを特徴とする安否監視システム。
【請求項２】
被監視対象者が所在し得る複数の空間ごとに設置された室温センサと人感センサと湿度センサと、
前記各室温センサと前記各人感センサと前記各湿度センサとが出力する情報を受信するサーバと、
前記サーバが生成する監視情報を受信する端末と、
を有してなる安否監視システムであって、
前記サーバは、
前記各室温センサが出力する各室温センサが設置されている空間内の室温を示す室温情報を受信する室温情報受信部と、
前記各人感センサが出力する各人感センサが設置されている空間内の前記被監視対象者の所在の有無を示す所在情報を受信する所在情報受信部と、
前記各湿度センサが出力する各湿度センサが設置されている空間内の湿度を示す湿度情報を受信する湿度情報受信部と、
許容快適度と判定時間とが記憶されている記憶部と、
前記室温情報受信部が受信した前記空間ごとの室温情報と、前記湿度情報受信部が受信した前記空間ごとの湿度情報と、前記所在情報受信部が受信した所在情報と、上記記憶部に記憶されている前記判定時間と、に基づいて、前記被監視対象者が滞在した空間内の快適度の単位時間当たりの平均値を示す平均滞在快適度を決定する平均滞在快適度決定部と、
を備え、
前記監視情報送信部は、前記平均滞在快適度決定部が決定した前記平均滞在快適度と、前記記憶部に記憶されている前記許容快適度とに基づいて、前記監視情報の送信を決定する、
ことを特徴とする安否監視システム。
【請求項３】
外出操作部、
を有してなり、
前記サーバは、
前記外出操作部が操作されたときに前記外出操作部が出力する外出情報を受信する外出情報受信部、
を備え、
前記監視情報送信部は、前記外出情報受信部が前記外出情報を受信したとき、前記監視情報を送信しない非監視モードに移行する、
請求項１または２記載の安否監視システム。
【請求項４】
前記監視情報送信部が非監視モードのときに前記所在情報受信部が前記所在情報のうち所在している旨の情報を受信したとき、前記監視情報送信部は、前記監視情報を送信可能な監視モードに移行する、
請求項３記載の安否監視システム。
【請求項５】
帰宅操作部、
を有してなり、
前記サーバは、
前記帰宅操作部が操作されたときに前記帰宅操作部が出力する帰宅情報を受信する帰宅情報受信部、
を備え、
前記監視情報送信部が非監視モードのときに前記帰宅情報受信部が前記帰宅情報を受信したとき、前記監視情報送信部は、前記監視情報を送信可能な監視モードに移行する、
請求項３記載の安否監視システム。
【請求項６】
前記監視情報は、前記端末のディスプレイに表示されるメッセージを含んでいて、
前記メッセージは、複数種類が前記記憶部に記憶されていて、
前記監視情報送信部は、前記平均滞在室温に基づいて前記記憶部に記憶されている前記複数種類のメッセージの中から１のメッセージを選択して、前記端末に送信する、
請求項１乃至５のいずれかに記載の安否監視システム。
【請求項７】
前記監視情報は、前記端末の動作を制御する制御情報を含んでいて、
前記制御情報は、複数種類が前記記憶部に記憶されていて、
前記監視情報送信部は、前記平均滞在室温に基づいて前記記憶部に記憶されている前記複数種類の制御情報の中から１の制御情報を選択して、前記端末に送信する、
請求項１乃至６のいずれかに記載の安否監視システム。
【請求項８】
前記端末は、前記監視情報に対する信頼度を示す信頼度情報を出力し、
前記サーバは、
前記端末が出力する前記信頼度情報を受信する信頼度情報受信部と、
前記信頼度情報受信部が受信した前記信頼度情報に基づいて、前記記憶部に記憶されている前記許容室温と前記判定時間との少なくともいずれか一方を更新する更新部と、
を備える、
請求項１乃至７のいずれかに記載の安否監視システム。
【請求項９】
前記サーバは、
前記平均滞在室温算出部が算出した前記平均滞在室温に基づいて、前記記憶部に記憶されている前記判定時間を更新する第２更新部、
を備える、
請求項１乃至８のいずれかに記載の安否監視システム。
【請求項１０】
前記端末を複数有してなり、
前記サーバは、
前記複数の端末の中から前記監視情報を送信する端末を選択する送信先選択部、
を備え、
前記記憶部には、複数の温度範囲と、前記端末を特定する端末ＩＤと、が関連付けて記憶されていて、
前記送信先選択部は、前記複数の温度範囲のうち前記平均滞在室温算出部が算出した前記平均滞在室温が含まれる温度範囲と関連付けて前記記憶部に記憶されている前記端末ＩＤに基づいて、前記複数の端末の中から前記監視情報を送信する端末を選択する、
請求項１記載の安否監視システム。
【請求項１１】
前記端末を複数有してなり、
前記サーバは、
前記複数の端末の中から前記監視情報を送信する端末を選択する送信先選択部、
を備え、
前記記憶部には、複数の快適度範囲と、前記端末を特定する端末ＩＤと、が関連付けて記憶されていて、
前記送信先選択部は、前記複数の快適度範囲のうち前記平均滞在快適度決定部が決定した前記平均滞在快適度が含まれる快適度範囲と関連付けて前記記憶部に記憶されている前記端末ＩＤに基づいて、前記複数の端末の中から前記監視情報を送信する端末を選択する、
請求項２記載の安否監視システム。
【請求項１２】
特別端末を備え、
前記サーバは、
前記記憶部には、前記室温センサを特定する室温センサＩＤと、前記人感センサを特定する人感センサＩＤと、前記特別端末を特定する特別端末ＩＤと、前記被監視対象者の属性を示す属性情報と、を関連付けて記憶していて、
前記監視情報送信部は、前記記憶部に前記室温センサＩＤと前記人感センサＩＤとに関連付けて記憶されている前記属性情報を含む監視情報を生成し、前記記憶部に前記室温センサＩＤと前記人感センサＩＤとに関連付けて記憶されている前記特別端末ＩＤに基づいて、前記監視情報を前記特別端末に送信する、
請求項１乃至１０のいずれかに記載の安否監視システム。
【請求項１３】
被監視対象者が所在し得る複数の空間ごとに設置された室温センサと人感センサと、
監視情報を受信する端末と、
に通信可能に接続された安否監視サーバであって、
前記各室温センサが出力する各室温センサが設置されている空間内の室温を示す室温情報を受信する室温情報受信部と、
前記各人感センサが出力する各人感センサが設置されている空間内の前記被監視対象者の所在の有無を示す所在情報を受信する所在情報受信部と、
許容室温と判定時間とが記憶されている記憶部と、
前記室温情報受信部が受信した室温情報と、前記所在情報受信部が受信した所在情報と、前記記憶部に記憶されている判定時間と、に基づいて、前記被監視対象者が滞在した空間内の室温の単位時間当たりの平均値を示す平均滞在室温を算出する平均滞在室温算出部と、
前記監視情報を生成して前記端末に送信する監視情報送信部と、
を有してなり、
前記監視情報送信部は、前記平均滞在室温算出部が算出した平均滞在室温と、前記記憶部に記憶されている許容室温と、に基づいて、前記監視情報の送信を決定する、
ことを特徴とする安否監視サーバ。
【請求項１４】
被監視対象者が所在し得る複数の空間ごとに設置された室温センサと人感センサと、
監視情報を受信する端末と、
に通信可能に接続されたコンピュータで実行される安否監視プログラムであって、
前記コンピュータを、
前記各室温センサが出力する各室温センサが設置されている空間内の室温を示す室温情報を受信する室温情報受信部と、
前記各人感センサが出力する各人感センサが設置されている空間内の前記被監視対象者の所在の有無を示す所在情報を受信する所在情報受信部と、
許容室温と判定時間とが記憶されている記憶部と、
前記室温情報受信部が受信した室温情報と、前記所在情報受信部が受信した所在情報と、前記記憶部に記憶されている判定時間と、に基づいて、前記被監視対象者が滞在した空間内の室温の単位時間当たりの平均値を示す平均滞在室温を算出する平均滞在室温算出部と、
前記監視情報を生成して前記端末に送信する監視情報送信部と、
して機能させ、
前記監視情報送信部は、前記平均滞在室温算出部が算出した平均滞在室温と、前記記憶部に記憶されている許容室温と、に基づいて、前記監視情報の送信を決定する、
ことを特徴とする安否監視プログラム。
【請求項１５】
被監視対象者が所在し得る複数の空間ごとに設置された室温センサと人感センサと、
監視情報を受信する端末と、
に通信可能に接続され、
許容室温と判定時間とが記憶されている記憶部を備えたコンピュータで実行される安否監視方法であって、
前記コンピュータが、
前記各室温センサが出力する各室温センサが設置されている空間内の室温を示す室温情報を受信するステップと、
前記各人感センサが出力する各人感センサが設置されている空間内の前記被監視対象者の所在の有無を示す所在情報を受信するステップと、
前記受信した室温情報と、前記受信した所在情報と、前記記憶部に記憶されている判定時間と、に基づいて、前記被監視対象者が滞在した空間内の室温の単位時間当たりの平均値を示す平均滞在室温を算出するステップと、
前記算出した平均滞在室温と、前記記憶部に記憶されている許容室温と、に基づいて、前記監視情報を生成して前記端末に送信することを決定するステップと、
を有してなることを特徴とする安否監視方法。
【発明の詳細な説明】
【技術分野】
【０００１】
本発明は、複数の空間を移動する被監視対象者の安否を監視する安否監視システムと、安否監視サーバと、安否監視プログラム並びに安否監視方法に関するものである。
【背景技術】
【０００２】
従来、自宅における被監視対象者の安否監視を行い、異変が生じた場合に監視者に通報する技術が知られている。ここで、安否監視の被監視対象者（以下「ユーザ」ともいう。）は、例えば独居の高齢者である。また、監視者は、独居の高齢者の安否監視の場合には、例えば近親者又は介護士などである。なお、異変とは、例えば部屋の温度が上昇し、長時間滞在した場合には熱中症になるおそれのある環境下にユーザが滞在しているような状況を指す。
【０００３】
独居の高齢者の安否監視では、頻繁な電話連絡又は訪問が確実な監視方法である一方、ユーザのプライバシーを侵害する場合もあり、また監視者にとっても監視作業が煩雑である。
【０００４】
そこで、プライバシーを侵害することなく、確実な安否監視を可能とするため、住宅内にセンサを設置し、センサで異変を検知したときに遠隔にいる監視者に安否情報を通報するシステムが求められている。
【０００５】
これまでにも、ユーザの住居内の各部屋に、室温を検知する温度センサや、被監視対象者の所在の有無を検知する人感センサを設置して、被監視対象者の安否監視を行うシステムが提案されている（例えば、特許文献１参照）。
【０００６】
しかし、これまで提案されている安否監視システムは、ユーザの生活反応の所定時間の途絶を異常と判定するものであり、複数の部屋を移動するユーザの各部屋での滞在状況に応じた安否監視を行うものではなかった。すなわち、例えば、ユーザの熱中症を防止するには、ユーザが所在している部屋の室温のみで判断するのでは不十分で、所定の時間内にユーザが所在していた各部屋の室温に基づいて判断する必要がある。
【先行技術文献】
【特許文献】
【０００７】
【特許文献１】特開２００３−２８１６５８号公報
【発明の概要】
【発明が解決しようとする課題】
【０００８】
本発明は、複数の空間内を移動するユーザの各空間での滞在状況に応じた安否監視を実現することができる安否監視システムを提供することを目的とする。
【課題を解決するための手段】
【０００９】
本発明にかかる安否監視システムは、被監視対象者が所在し得る複数の空間ごとに設置された室温センサと人感センサと、各室温センサと各人感センサとの出力情報を受信するサーバと、サーバが生成する監視情報を受信する端末と、を有してなる安否監視システムであって、サーバは、各室温センサが出力する各室温センサが設置されている空間内の室温を示す室温情報を受信する室温情報受信部と、各人感センサが出力する各人感センサが設置されている空間内の被監視対象者の所在の有無を示す所在情報を受信する所在情報受信部と、許容室温と判定時間とが記憶されている記憶部と、室温情報受信部が受信した室温情報と、所在情報受信部が受信した所在情報と、記憶部に記憶されている判定時間と、に基づいて、被監視対象者が滞在した空間内の室温の単位時間当たりの平均温度を示す平均滞在室温を算出する平均滞在室温算出部と、監視情報を生成して端末に送信する監視情報送信部と、を備え、監視情報送信部は、平均滞在室温算出部が算出した平均滞在室温と、記憶部に記憶されている許容室温と、に基づいて、監視情報の送信を決定する、ことを特徴とする。
【発明の効果】
【００１０】
本発明によれば、複数の空間内を移動するユーザの各空間での滞在状況に応じた安否監視を実現することができる。
【図面の簡単な説明】
【００１１】
【図１】本発明にかかる安否監視システムの実施の形態を示すネットワーク構成図である。
【図２】本発明にかかる安否監視サーバの実施の形態を示すブロック図である。
【図３】本発明にかかる安否監視システムが備える、ユーザＩＤと、部屋ＩＤと、センサＩＤと、端末ＩＤとが関連付けて記憶されているＩＤテーブルに記憶されている情報の例を示す模式図である。
【図４】本発明にかかる安否監視システムが備える、許容室温と判定時間とが関連付けて記憶されている判定テーブルに記憶されている情報の例を示す模式図である。
【図５】本発明にかかる安否監視システムが備える、複数の温度範囲と、監視レベルと、監視情報とが関連付けて記憶されている監視レベルテーブルに記憶されている情報の例を示す模式図である。
【図６】本発明にかかる安否監視サーバが受信した室温情報の一例である。
【図７】本発明にかかる安否監視サーバが受信した所在情報の一例である。
【図８】平均滞在室温の算出の一例を示す模式図である。
【図９】本発明にかかる安否監視システムを構成する端末のディスプレイに表示されたメッセージの例である。
【図１０】上記端末のディスプレイに表示されたメッセージの別の例である。
【図１１】本発明にかかる安否監視方法の実施の形態を示すフローチャートである。
【図１２】本発明にかかる安否監視システムの他の実施の形態を示すネットワーク構成図である。
【図１３】本発明にかかる安否監視サーバの実施の形態を示すブロック図である。
【図１４】本発明にかかる安否監視システムが備える、ユーザＩＤと、部屋ＩＤと、センサＩＤと、端末ＩＤとが関連付けて記憶されているＩＤテーブルに記憶されている情報の例を示す模式図である。
【図１５】本発明にかかる安否監視システムが備える、許容室温快適度と判定時間とが関連付けて記憶されている判定テーブルに記憶されている情報の例を示す模式図である。
【図１６】本発明にかかる安否監視システムが備える、複数の快適度範囲と、監視レベルと、監視情報とが関連付けて記憶されている監視レベルテーブルに記憶されている情報の例を示す模式図である。
【図１７】本発明にかかる安否監視システムが受信した室温情報の一例である。
【図１８】本発明にかかる安否監視システムが受信した湿度情報の一例である。
【図１９】本発明にかかる安否監視システムが受信した所在情報の一例である。
【図２０】平均滞在快適度の決定の一例を示す模式図である。
【図２１】本発明にかかる安否監視方法の実施の形態を示すフローチャートである。
【図２２】本発明にかかる安否監視システムの他の実施の形態を示すネットワーク構成図である。
【図２３】本発明にかかる安否監視サーバの実施の形態を示すブロック図である。
【図２４】本発明にかかる安否監視システムの他の実施の形態を示すネットワーク構成図である。
【図２５】本発明にかかる安否監視システムが備えるサーバの実施の形態を示すブロック図である。
【図２６】本発明にかかる安否監視システムが備えるサーバの別の実施の形態を示すブロック図である。
【図２７】本発明にかかる安否監視システムを構成する端末に表示された、監視情報と信頼度情報入力部の一例である。
【図２８】本発明にかかる安否監視システムの、判定時間更新処理の実施の形態を示すフローチャートである。
【図２９】本発明にかかる安否監視システムの、許容温度判定処理の実施の形態を示すフローチャートである。
【図３０】本発明にかかる安否監視サーバの別の実施の形態を示すブロック図である。
【図３１】本発明にかかる安否監視方法の実施の形態を示すフローチャートである。
【図３２】本発明にかかる安否監視システムが備える判定テーブルの、更新前のテーブルの例である。
【図３３】本発明にかかる安否監視システムが備える判定テーブルの、更新後のテーブルの例である。
【図３４】本発明にかかる安否監視システムの他の実施の形態を示すネットワーク構成図である。
【図３５】本発明にかかる安否監視サーバの実施の形態を示すブロック図である。
【図３６】本発明にかかる安否監視システムが備える、複数の温度範囲と、監視レベルと、監視情報に含まれる送信先端末ＩＤとが関連付けて記憶されている監視レベルテーブルに記憶されている情報の例を示す模式図である。
【図３７】本発明にかかる安否監視システムの他の実施の形態を示すネットワーク構成図である。
【図３８】本発明にかかる安否監視システムを構成する特別端末のディスプレイの一例である。
【発明を実施するための形態】
【００１２】
以下、本発明にかかる安否監視システムと安否監視サーバと安否監視プログラム並びに安否監視方法の実施の形態について、図面を参照しながら説明する。
【００１３】
なお、以下の説明では、部屋Ｒ１、Ｒ２、Ｒ３を有する住宅に住む独居の高齢者の熱中症対策のための安否監視の場合を例に説明をする。すなわち、被監視対象者（ユーザ）である高齢者に熱中症のおそれがあることを予測して監視者に報知する例である。また、部屋Ｒ１、Ｒ２、Ｒ３は、ユーザが所在し得る複数の空間の例である。
【００１４】
●安否監視システム（１）●
図１は、本発明にかかる安否監視システム（以下「本システム」という。）の実施の形態を示すネットワーク構成図である。
【００１５】
本システム１１は、本発明にかかる安否監視サーバ（以下「本サーバ」という。）２１と、中継器３と、端末ＴＭと、室温センサＴＳと、人感センサＰＳと、を有してなる。室温センサＴＳ（ＴＳ１、ＴＳ２、ＴＳ３）と、人感センサＰＳ（ＰＳ１、ＰＳ２、ＰＳ３）とは、部屋Ｒ（Ｒ１、Ｒ２、Ｒ３）に部屋ごとに設置されている。本サーバ２１は、中継器３を介して、部屋Ｒ（Ｒ１、Ｒ２、Ｒ３）それぞれの室温センサＴＳと人感センサＰＳと通信可能に接続している。また、本サーバ２１は、通信ネットワーク４を介して、端末ＴＭや中継器３と通信可能に接続している。
【００１６】
通信ネットワーク４の例としては、インターネットやＬＡＮ（Local Area Network）などのコンピュータ通信網がある。本サーバ２１や端末ＴＭや中継器３は、専用線、公衆交換電話網（Public Switched Telephone Networks）、無線電話網、ＣＡＴＶ網、衛星通信網等の通信回線を介して通信ネットワーク４と接続している。
【００１７】
●本サーバについて
本サーバは、パーソナルコンピュータなどの情報処理装置である。
【００１８】
なお、本発明にかかる安否監視プログラム（以下「本プログラム」という。）が本サーバで動作することで、本サーバは後述する本発明にかかる安否監視方法（以下「本方法」という。）を実行する。
【００１９】
図２は、本サーバの実施の形態を示すブロック図である。本サーバ２１は、室温情報受信部２０１と、所在情報受信部２０２と、平均滞在室温算出部２０３と、監視情報送信部２０４と、記憶部ＤＢと、を有してなる。
【００２０】
室温情報受信部２０１は、室温センサＴＳが出力する室温情報を受信する。室温センサＴＳが出力する室温情報とは、その室温センサＴＳが設置されている空間内の室温を示す情報である。
【００２１】
室温情報受信部２０１は、通信ネットワーク４及び中継器３を介して、室温センサＴＳと接続している。室温情報受信部２０１は、室温センサＴＳが出力する室温情報を、この室温情報を出力した室温センサＴＳを特定する室温センサＩＤと共に、受信する。
【００２２】
所在情報受信部２０２は、人感センサＰＳが出力する所在情報を受信する。人感センサＰＳが出力する所在情報とは、その人感センサＰＳが設置されている空間内にユーザが存在しているか否かを示す情報である。
【００２３】
所在情報受信部２０２は、通信ネットワーク４及び中継器３を介して、人感センサＰＳと接続している。所在情報受信部２０２は、人感センサＰＳが出力する所在情報を、この所在情報を出力した人感センサＰＳを特定する人感センサＩＤと共に、受信する。
【００２４】
平均滞在室温算出部２０３は、ユーザが滞在した空間内の室温の単位時間当たりの平均温度（以下「平均滞在室温」という。）を算出する手段である。平均滞在室温は、室温情報受信部２０１が受信した室温情報と、所在情報受信部２０２が受信した所在情報と、記憶部ＤＢに記憶されている判定時間と、に基づいて、算出される。
【００２５】
監視情報送信部２０４は、監視情報を生成して端末に送信する手段である。監視情報とは、端末ＴＭに送信され、端末ＴＭを動作させる情報である。監視情報送信部２０４は、通信ネットワーク４を介して端末ＴＭと接続しており、監視情報を送信する。また、監視情報送信部２０４は、平均滞在室温算出部２０３が算出した平均滞在室温と、記憶部ＤＢに記憶されている許容室温と、に基づいて、監視情報の送信を決定する。
【００２６】
記憶部ＤＢには、本サーバ２１が後述する安否監視の方法を実行するために必要な各種情報を記憶するための手段である。記憶部ＤＢには、許容室温や判定時間や室温情報や所在情報などがＩＤテーブル６１、判定テーブル６２、監視レベルテーブル６３の形式で記憶されている。
【００２７】
●端末ＴＭについて
端末ＴＭは、監視情報送信部２０４が送信した監視情報を、通信ネットワーク４を介して受信し、所定の動作を行う。ここで、監視情報とは、例えば監視者にユーザの安否を知らせるメッセージ、すなわち文字情報を含む。この場合、端末ＴＭはディスプレイを有し、メッセージを表示する。
【００２８】
端末ＴＭは、例えばユーザの近親者又は担当介護士が所持する携帯可能な機器である。ユーザの近親者等は、端末ＴＭにより、通信ネットワーク４を介して、遠隔からユーザの安否監視を行うことができる。
【００２９】
なお、端末ＴＭは、本システム１１内に複数存在していてもよい。複数の端末ＴＭは、監視情報に基づいて同じ動作をするよう設定されていてもよいし、異なる動作をするよう設定されていてもよい。
【００３０】
●中継器について
中継器３は、複数の室温センサ及び人感センサからの情報を、通信ネットワーク４を介して本サーバ２１に中継する。中継器３は、通信ネットワーク４を介して端末ＴＭ及び本サーバ２１と接続している。
【００３１】
なお、中継器３は、監視情報送信部２０４が送信した監視情報を受信して、所定の動作を行う機能、つまり、端末ＴＭと同等の機能を有していてもよい。すなわち、例えば、部屋Ｒのいずれかに設置された中継器３は、監視情報送信部２０４から受信した監視情報を中継器３のディスプレイに表示して、監視情報をユーザに報知してもよい。
【００３２】
●室温センサについて
室温センサＴＳは、いずれも不図示の、室温測定部と、室温センサＩＤ記憶部と、室温情報送信部と、を備える。室温センサＴＳは、ユーザが所在し得る複数の空間ごとに設置されている。この空間は、例えばドア等で空気の対流を仕切られた部屋であって、部屋ごとに室温が異なると予測される部屋である。
【００３３】
室温測定部は、ユーザが所在し得る複数の部屋ごとの室温を測定し、室温情報を生成する。
【００３４】
室温センサＩＤ記憶部は、室温センサＴＳごとにユニークに設定された室温センサＩＤを記憶している。
【００３５】
室温情報送信部は、室温情報と、室温センサＩＤとを、通信ネットワーク４を介して室温情報受信部２０１に送信する。
【００３６】
●人感センサについて
人感センサＰＳは、いずれも不図示の、ユーザ検出部と、人感センサＩＤ記憶部と、所在情報送信部と、を備える。人感センサＰＳは、ユーザが所在し得る複数の空間に、空間ごとに設置されている。また、人感センサＰＳは、１の室温センサＴＳに対して、その室温センサＴＳが測定する空間に対応する人感センサＰＳが少なくとも１台設置されている。
【００３７】
なお、人感センサＰＳは、１の室温センサＴＳに対して、複数台設置されていてもよい。
【００３８】
ユーザ検出部は、人感センサＰＳが設置されている部屋にユーザが存在しているか否かを検出し、所在情報を生成する。
【００３９】
人感センサＩＤ記憶部は、人感センサごとにユニークに設定された人感センサＩＤを記憶している。
【００４０】
所在情報送信部は、所在情報と、人感センサＩＤとを、通信ネットワーク４を介して所在情報受信部２０２に送信する。
【００４１】
なお、人感センサの検知方法の例としては、赤外線センサ、荷重センサ、イメージセンサ等があり、所定の空間内に人が存在するか否かを検知できる方法であればよい。
【００４２】
●ユーザＩＤと部屋ＩＤとセンサＩＤと端末ＩＤについて
次に、記憶部ＤＢに記憶されているユーザＩＤと部屋ＩＤとセンサＩＤと端末ＩＤについて説明する。
【００４３】
図３は、本システムが備える、ユーザＩＤと、部屋ＩＤと、センサＩＤと、端末ＩＤとが関連付けて記憶されているＩＤテーブル６１に記憶されている情報の例を示す模式図である。ＩＤテーブル６１は、平均滞在室温算出部２０３が平均滞在室温を算出するために用いられる。また、ＩＤテーブル６１は、監視情報送信部２０４が端末ＴＭごとに監視情報の送信をするか否かを決定するために用いられる。
【００４４】
ユーザＩＤとは、ユーザごとにユニークに設定された識別子である。ユーザＩＤは、平均滞在室温算出部２０３が、記憶部ＤＢの判定テーブル６２にユーザごとに記憶された判定時間のうち、ユーザに対応する判定時間を識別するために用いられる。また、ユーザＩＤは、監視情報送信部２０４が、記憶部ＤＢの判定テーブル６２にユーザごとに記憶された許容室温のうち、ユーザに対応する許容室温を識別するために用いられる。
【００４５】
部屋ＩＤとは、部屋ごとにユニークに設定された識別子である。部屋ＩＤは、監視情報送信部２０４が、同一の部屋にある室温センサＴＳと人感センサＰＳとを識別するために用いる。
【００４６】
センサＩＤとは、センサごとにユニークに設定された識別子である。センサＩＤは、室温センサＩＤと、人感センサＩＤと、を含む。センサＩＤは、平均滞在室温算出部２０３が、ＩＤテーブル６１に基づいてセンサが設置されている部屋を識別するために用いられる。また、センサＩＤは、平均滞在室温算出部が、ＩＤテーブル６１に基づいて同じ部屋の室温情報と所在情報とを識別するために用いられる。
【００４７】
端末ＩＤとは、端末ごとにユニークに設定された識別子である。端末ＩＤは、本システム１１内に端末ＴＭが複数ある場合に、監視情報送信部２０４が監視情報を送信する端末を識別するために用いられる。
【００４８】
ユーザごとに、監視情報が送信される端末ＴＭが決まっている。ここで、ＩＤテーブル６１には、ユーザＩＤ「ｕ１」と「ｕ１」とが登録されている。ユーザＩＤ「ｕ１」の監視情報は、端末ＴＭ１と端末ＴＭ２とが受信する。一方、ユーザＩＤ「ｕ２」の監視情報は、端末ＴＭ３が受信する。
【００４９】
●許容室温と判定時間について
次に、記憶部ＤＢに記憶されている許容室温と判定時間について説明する。
【００５０】
図４は、本システム１１が備える、許容室温と判定時間が関連付けて記憶されている判定テーブル６２に記憶されている情報の例を示す模式図である。
【００５１】
許容室温とは、後述する監視レベルの判定に用いられる、ユーザの平均滞在室温の閾値を表す温度である。許容室温は、記憶部ＤＢにユーザごとに記憶されている。本実施の形態では、例えば、ユーザＩＤ「ｕ１」のユーザに対しては、許容室温は３０℃と３５℃である旨が記憶されている。
【００５２】
なお、許容室温は、１ユーザに対して１種類のみ設定してもよい。
【００５３】
判定時間とは、平均滞在室温を算出する際に参入する時間の長さである。判定時間は、記憶部ＤＢにユーザごとに異なる時間が記憶されている。
【００５４】
なお、許容室温や判定時間は、複数のユーザに対して同一（共通）の値が設定されていてもよい。
【００５５】
●監視レベルについて
次に、監視レベルについて説明する。
【００５６】
監視レベルとは、ユーザの熱中症のリスクの度合いを識別するための情報である。監視レベルは、監視情報送信部２０４が、後述する監視レベルテーブル６３により、送信する監視情報を識別するために用いられる。
【００５７】
図５は、本システム１１が備える、複数の温度範囲と、監視レベルと、監視情報に含まれるメッセージとが関連付けて記憶されている監視レベルテーブル６３に記憶されている情報の例を示す模式図である。監視レベルテーブル６３は、記憶部ＤＢにユーザごとに記憶されている。図５においては、ユーザ１人分のテーブルを示す。ここで、監視レベルには、Ｌ１、Ｌ２、Ｌ３が設定されている。また、監視レベルは、許容室温によって区分けされている。
【００５８】
また、監視情報に含まれるメッセージは、複数種類がある。さらに、これら複数種類のメッセージは、監視レベルと対応づけられて、監視レベルテーブル６３に記憶されている。
【００５９】
監視レベルは、監視情報送信部２０４によって、平均滞在室温と許容室温と、監視レベルテーブル６３に基づいて決定される。監視情報送信部２０４は、監視レベルテーブル６３に基づいて、複数種類のメッセージの中から１のメッセージを選択して、監視情報を端末ＴＭに送信する。
【００６０】
●監視情報について
監視情報とは、端末ＴＭに送信される情報である。監視情報は、監視情報送信部２０４が送信する旨を決定すると、監視情報送信部２０４から通信ネットワーク４を介して端末ＴＭに送信される。
【００６１】
なお、監視情報は、１種類であってもよい。
【００６２】
監視情報は、記憶部ＤＢに監視レベルと共に記憶される。そして、どの監視情報を送信するかは、監視情報送信部２０４からの命令により決定される。
【００６３】
ここで、本実施の形態では、監視情報は、端末ＴＭのディスプレイに表示されるメッセージを含む。
【００６４】
なお、本発明においては、監視情報は、端末ＴＭのディスプレイに表示されるメッセージに限らず、例えば、ユーザの部屋Ｒ１〜Ｒ３に設置されている冷暖房機の温度制御情報を含んでいてもよい。すなわち、例えば、監視レベルＬ３の場合に、設定温度を１℃下げるような監視情報を冷暖房機に送信する。監視情報を受信した冷暖房機は、その監視情報に基づいて、設定温度を変更して動作することができる。
【００６５】
また、監視情報は、判定テーブル６２の判定時間を変更する制御情報を含んでいてもよい。すなわち、例えば、監視レベルＬ３の場合に、判定時間を１０分短縮する監視情報を記憶部ＤＢに送信する。監視情報を受信した記憶部ＤＢは、判定テーブル６２の、該当するユーザの判定時間を１０分短縮して更新し、記憶（上書き）する。
【００６６】
また、監視情報は、メッセージ、冷暖房機の温度制御情報、判定時間を変更する制御情報のうち、２つ以上の情報を含んでいてもよい。
【００６７】
また、監視情報は、複数の端末に送信されてもよい。
【００６８】
●平均滞在室温について
次に、平均滞在室温について説明する。
【００６９】
平均滞在室温とは、ユーザが滞在した空間内の室温の単位時間当たりの平均値である。
【００７０】
図６〜８は、平均滞在室温の算出例を示す模式図である。
【００７１】
図６は、本サーバ２１が室温センサＴＳ１、ＴＳ２、ＴＳ３から受信した部屋Ｒ１、Ｒ２、Ｒ３の室温情報の一例である。の室温を示す。すなわち、例えば、本サーバ２１は、時刻Ｔ１において、室温センサＴＳ１、ＴＳ２、ＴＳ３のそれぞれから、「２８℃」「３４℃」「２８℃」を示す室温情報を受信したことを示している。
【００７２】
本サーバ２１は、定期的に室温センサＴＳ１、ＴＳ２、ＴＳ３から室温情報を受信している。本実施の形態では、本サーバ２１は、１０分ごとに室温センサＴＳ１、ＴＳ２、ＴＳ３から室温情報を受信している。つまり、図６に示す時刻Ｔ２は、時刻Ｔ１の１０分後である。
【００７３】
図７は、本サーバ２１が人感センサＰＳ１、ＰＳ２、ＰＳ３から受信した所在情報で示される各部屋Ｒ１、Ｒ２、Ｒ３の所在の有無の一例である。すなわち、例えば、本サーバ２１は、時刻Ｔ１において、人感センサＰＳ１、ＰＳ２、ＰＳ３のそれぞれから、「在室」又は「不在」を示す所在情報を受信したことを示している。本サーバ２１は、定期的に人感センサＰＳ１、ＰＳ２、ＰＳ３から所在情報を受信している。本実施の形態では、本サーバ２１は、１０分ごとに人感センサＰＳ１、ＰＳ２、ＰＳ３から所在情報を受信している。
【００７４】
ここで、本サーバ２１は、室温センサＴＳ１、ＴＳ２、ＴＳ３や人感センサＰＳ１、ＰＳ２、ＰＳ３のそれぞれから、非同期に室温情報や所在情報を受信する。すなわち、各センサは、１０分ごとに情報を出力するが、出力するタイミングは、センサ同士で同期されていない。したがって、本サーバ２１は、各センサから受信した情報を、タイミングの近い情報同士を同時刻に受信したものとして、時系列に記憶部ＤＢに記憶していく。
【００７５】
なお、本発明においては、例えば、中継器３が各センサから情報を受信し、所定のセンサすべてから情報を受信したタイミングで、受信した情報を一括して本サーバ２１に送信するようにしてもよい。すなわち、例えば、中継器３は、室温センサＴＳ１から「２８℃」、室温センサＴＳ２から「３４℃」、室温センサＴＳ３から「２８℃」の室温情報を非同期で受信して、中継器３内の、図示しない記憶部に記憶しておく。
【００７６】
また、中継器３は、人感センサＰＳ１から「在室」、人感センサＰＳ２から「不在」、人感センサＰＳ３から「不在」の所在情報を非同期で受信して、中継器３内の記憶部に記憶しておく。
【００７７】
中継器３は、これら６つのセンサすべてから情報を受信した時点で、本サーバ２１に６つのセンサから受信した情報を一括して送信する。本サーバ２１は、中継器３から受信した６つの情報を、受信した時刻（Ｔ１）と関連付けて記憶部ＤＢに記憶してもよい。
【００７８】
ここで、時刻Ｔ１は、本サーバ２１が有する不図示のクロック生成回路から生成される。記憶部ＤＢは、時刻Ｔ１、Ｔ２、Ｔ３をクロック生成回路から定期的に取得する。
【００７９】
本サーバ２１は、図６と図７とに示した室温情報と所在情報とを用いて、平均滞在室温を算出する。以下、平均滞在室温の算出方法について説明する。
【００８０】
図８は、平均滞在室温の算出の一例を示す模式図である。
【００８１】
まず、平均滞在室温算出部２０３は、ユーザが所在していた部屋の室温を、時刻ごとに抽出する。すなわち、時刻Ｔ１は「２８℃」、時刻Ｔ２は「２８℃」、時刻Ｔ３は「３４℃」・・・が抽出される。
【００８２】
次いで、平均滞在室温算出部２０３は、記憶部ＤＢに記憶されている判定テーブル６２の判定時間を参照し、判定時間の間の室温の単位時間当たりの室温を平均滞在室温として算出する。単位時間当たりとは、本実施の形態では、本サーバ２１が各センサから情報を受信する１０分とする。すなわち、例えば、判定時間が６０分の場合、時刻Ｔ１からＴ６までの抽出された６つの室温の合計値「１８０℃」を６で除して得られた「３０℃」が平均滞在室温である。つまり、平均滞在室温は、１０分ごとに算出されることになる。
【００８３】
●監視情報の送信について
次いで、監視情報送信部２０４は、算出した平均滞在室温と、記憶部ＤＢに記憶されている許容室温と、を用いて、監視情報の送信を決定する。
【００８４】
図５は、監視情報送信部２０４が、監視情報の送信を決定する際に参照する記憶部ＤＢに記憶されている監視レベルテーブル６３に記憶されている情報の例を示す模式図である。
【００８５】
監視情報送信部２０４は、算出した平均滞在室温が、図５に示された監視レベルのいずれに属するかを判定し、判定された監視レベルに応じて監視情報の送信をするか否かを決定する。すなわち、例えば、監視情報送信部２０４は、判定された監視レベルがＬ１のときには、監視情報を送信しない。
【００８６】
一方、監視情報送信部２０４は、判定された監視レベルがＬ２又はＬ３のときには、監視情報を送信する。すなわち、監視情報送信部２０４は、判定された監視レベルがＬ２又はＬ３のときには、監視レベルテーブル６３の「監視情報に含まれるメッセージの例」欄に記載されたメッセージを、それぞれ端末ＴＭに送信する。
【００８７】
図９は、本システムを構成する端末ＴＭ１のディスプレイ５に表示されたメッセージの例である。同図は、監視レベルがＬ２のときのメッセージを示している。
【００８８】
図１０は、本システムを構成する端末ＴＭ１のディスプレイ５に表示されたメッセージの別の例である。同図は、監視レベルがＬ３のときのメッセージを示している。
【００８９】
●本方法について
次に、本サーバ２１が実行する本方法について説明する。
【００９０】
図１１は、本方法の実施の形態を示すフローチャートである。
【００９１】
先ず、本サーバ２１は、室温情報受信部２０１により、室温情報と室温センサＩＤとを受信する（Ｓ１）。
【００９２】
次いで、本サーバ２１は、所在情報受信部２０２により、所在情報と人感センサＩＤとを受信する（Ｓ２）。
【００９３】
次いで、本サーバ２１は、平均滞在室温算出部２０３により、前述の算出方法により平均滞在室温を算出する（Ｓ３）。
【００９４】
次いで、本サーバ２１は、監視情報送信部２０４により、平均滞在室温と、記憶部ＤＢに記憶された判定テーブル６２内の許容室温とに基づいて、報知の要否の判定をする（Ｓ４）。
【００９５】
次いで、本サーバ２１は、監視情報送信部２０４により、報知が必要と判定された場合には、監視情報を生成する（Ｓ５）。また、報知が不要と判定された場合には、ステップＳ１０１の処理に戻る。
【００９６】
次いで、本サーバ２１は、監視情報送信部２０４により、監視情報を通信ネットワーク４を介して端末ＴＭに送信する（Ｓ６）。
【００９７】
次いで、本サーバ２１は、ステップＳ１０１の処理に戻る。
【００９８】
以上説明した実施の形態によれば、本サーバ２１は、平均滞在室温と許容室温とに基づいて監視情報の送信を決定する、つまり、部屋Ｒ１，Ｒ２，Ｒ３を移動するユーザの各部屋での滞在状況に応じた安否監視を実現することができる。
【００９９】
なお、以上説明した実施の形態は、温度の上限に基づいて監視情報を送信する、熱中症による危険を監視する安否監視システムであった。しかし、本発明にかかる安否監視システムは、これ以外の、温度の下限に基づいて監視情報を送信する、低室温による危険を監視するシステムにも適用可能である。
【０１００】
●安否監視システム（２）●
次に、本システムの別の実施の形態について、先に説明した実施の形態と異なる部分を中心に説明する。ここで、本実施の形態は、空間内の温度だけでなく湿度も加味して監視を行う点において、先に説明した実施の形態と異なる。
【０１０１】
図１２は、本システムの実施の形態を示すネットワーク構成図である。本システム１２は、各部屋Ｒに湿度センサＨＳを有する。
【０１０２】
●本サーバについて
図１３は、本サーバの実施の形態を示すブロック図である。本サーバ２２は、先に説明した実施の形態で示した本サーバ２１が有する構成の他に、湿度情報受信部２０５と、平均滞在快適度決定部２０６と、を有してなる。
【０１０３】
湿度情報受信部２０５は、湿度センサＨＳが出力する湿度情報を受信する。湿度センサＨＳが出力する湿度情報とは、その湿度センサＨＳが設置されている空間内の湿度を示す情報である。
【０１０４】
湿度情報受信部２０５は、通信ネットワーク４及び中継器３を介して、湿度センサＨＳと接続している。湿度情報受信部２０５は、湿度センサＨＳが出力する湿度情報を、この湿度情報を出力した湿度センサＨＳを特定する湿度センサＩＤと共に、受信する。
【０１０５】
平均滞在快適度決定部２０６は、ユーザが滞在した空間内の快適度の単位時間当たりの平均快適度（以下「平均滞在快適度」という。）を決定する手段である。平均滞在快適度は、室温情報受信部２０１が受信した室温情報と、湿度情報受信部２０５が受信した湿度情報と、所在情報受信部２０２が受信した所在情報と、記憶部ＤＢに記憶されている判定時間と、に基づいて、算出される。
【０１０６】
ここで、快適度とは、高温多湿な環境下において熱中症となるおそれを指数化した値である。快適度には、例えばＷＢＧＴ値（Wet-Bulb Globe Temperature値）などがある。なお、本実施の形態では、日本生気象学会「日常生活における熱中症予防指針」Ver.3で示された、ＷＢＧＴ値の推定値を滞在快適度としている。ＷＢＧＴ値の推定値は、室内で日射がないと仮定して、気温と湿度から求める方法により求めた値である。
【０１０７】
また、滞在快適度とは、ユーザが滞在した空間内の快適度である。
【０１０８】
平均滞在快適度とは、滞在快適度の単位時間当たりの平均値である。
【０１０９】
監視情報送信部２０４は、平均滞在快適度決定部２０６が算出した平均滞在快適度と、記憶部ＤＢに記憶されている許容快適度と、に基づいて、監視情報の送信を決定する。
【０１１０】
●湿度センサについて
湿度センサＨＳは、いずれも不図示の、湿度測定部と、湿度センサＩＤ記憶部と、湿度情報送信部と、を備える。湿度センサＴＳは、ユーザが所在し得る複数の空間ごとに設置されている。
【０１１１】
湿度測定部は、ユーザが所在し得る複数の部屋ごとの室温を測定し、湿度情報を生成する。
【０１１２】
湿度センサＩＤ記憶部は、湿度センサＨＳごとにユニークに設定された湿度センサＩＤを記憶している。
【０１１３】
湿度情報送信部は、湿度情報と、湿度センサＩＤとを、通信ネットワーク４を介して本サーバ２２の湿度情報受信部２０５に送信する。
【０１１４】
●ユーザＩＤと端末ＩＤとセンサＩＤについて
次に、本実施形態における、記憶部ＤＢに記憶されているユーザＩＤと端末ＩＤとセンサＩＤについて説明する。
【０１１５】
図１４は、ユーザＩＤと、部屋ＩＤと、センサＩＤと、端末ＩＤとが関連付けて記憶されているＩＤテーブル６４に記憶されている情報の例を示す模式図である。センサＩＤには、先に説明した実施の形態で用いた温度センサＩＤと人感センサＩＤの他に、湿度センサＩＤが含まれる。ＩＤテーブル６４は、平均滞在快適度決定部２０６が平均滞在快適度を算出するために用いられる。また、ＩＤテーブル６４は、監視情報送信部２０４が端末ＴＭごとに監視情報の送信をするか否かを決定するために用いられる。
【０１１６】
●許容快適度について
次に、記憶部ＤＢに記憶されている許容快適度について説明する。
【０１１７】
図１５は、本システム１２が備える、許容快適度と判定時間とが関連付けて記憶されている判定テーブル６２に記憶されている情報の例を示模式図である。
【０１１８】
なお、許容快適度とは、監視レベルの判定に用いられる、ユーザの平均滞在快適度の閾値を示す値である。許容快適度は、記憶部ＤＢにユーザごとに記憶されている。本実施の形態では、例えば、ユーザＩＤが「ｕ１」のユーザに対しては、許容快適度は２８と３１である旨が記憶されている。
【０１１９】
許容快適度が２種類存在することで、後に説明する監視レベルを複数設定することができる。
【０１２０】
図１６は、本システム１２が備える、複数の快適度範囲と、監視レベルと、監視情報とが関連付けて記憶されている監視レベルテーブル６６に記憶されている情報の例を示す模式図である。監視レベルには、Ｌ４、Ｌ５、Ｌ６が設定されている。また、監視レベルは、許容快適度によって区分けされている。
【０１２１】
監視レベルは、監視情報送信部２０４によって、平均滞在快適度と許容快適度と、監視レベルテーブル６６に基づいて決定される。監視情報送信部２０４は、監視レベルテーブル６６に基づいて決定された監視情報を端末ＴＭに送信する。
【０１２２】
なお、許容快適度は、１ユーザに対して１種類のみを設定してもよい。
【０１２３】
●平均滞在快適度の算出方法について
次に、平均滞在快適度の算出方法について説明する。
【０１２４】
図１７〜２０は、平均滞在快適度の算出例を示す模式図である。
【０１２５】
図１７は、本サーバ２２が室温センサＴＳ１、ＴＳ２、ＴＳ３から受信した各部屋Ｒ１、Ｒ２、Ｒ３の室温の一例を示す。
【０１２６】
図１８は、本サーバ２２が湿度センサＨＳ１、ＨＳ２、ＨＳ３から受信した各部屋Ｒ１、Ｒ２、Ｒ３の湿度の一例を示す。
【０１２７】
図１９は、本サーバ２２が人感センサＰＳ１、ＰＳ２、ＰＳ３から受信した所在情報で示される各部屋Ｒ１、Ｒ２、Ｒ３の所在の有無の一例を示す。
【０１２８】
本サーバ２２は、図１８〜図２０に示した、室温情報と、湿度情報と、所在情報とを用いて、平均滞在快適度を決定する。以下、平均滞在快適度の決定方法について説明する。
【０１２９】
まず、平均滞在快適度決定部２０６は、ユーザが所在していた部屋の室温を、時刻ごとに抽出する。
【０１３０】
次いで、平均滞在快適度決定部２０６は、ユーザが所在していた部屋の湿度を、時刻ごとに抽出する。
【０１３１】
次いで、平均滞在快適度決定部２０６は、ユーザが所在していた部屋の室温と湿度とに基づいて、滞在快適度を算出する。
【０１３２】
次いで、平均滞在快適度決定部２０６は、記憶部ＤＢに記憶されている判定テーブル６５の判定時間を参照し、判定時間の間の滞在快適度の単位時間当たりの快適度を平均滞在快適度として決定する。
【０１３３】
次いで、監視情報送信部２０４は、監視レベルテーブル６６の許容快適度を参照し、平均滞在快適度から、監視情報の送信を決定する。
【０１３４】
図２０は、平均滞在快適度の決定の一例を示す模式図である。本図には、判定時間が６０分の場合の、平均滞在快適度の決定結果が示されている。
【０１３５】
●本方法について
次に、本サーバ２２が実行する本方法について説明する。
【０１３６】
図２１は、本方法の実施の形態を示すフローチャートである。
【０１３７】
先ず、本サーバ２２は、室温情報受信部２０１により、室温情報及び室温センサＩＤを受信する（Ｓ１１）。
【０１３８】
次いで、本サーバ２２は、湿度情報受信部２０５により、湿度情報及び湿度センサＩＤを受信する（Ｓ１２）。
【０１３９】
次いで、本サーバ２２は、所在情報受信部２０２により、所在情報及び人感センサＩＤを受信する（Ｓ１３）。
【０１４０】
次いで、本サーバ２２は、平均滞在快適度決定部２０６により、前述の算出方法により、平均滞在快適度を算出する（Ｓ１４）。
【０１４１】
次いで、本サーバ２２は、監視情報送信部２０４により、平均滞在快適度と、記憶部ＤＢに記憶された判定テーブル６５内の許容快適度とに基づいて、監視情報の送信の要否の判定をする（Ｓ１５）。
【０１４２】
以上説明した実施の形態によれば、本サーバ２２は、平均滞在快適度と許容快適度に基づいて監視情報の送信を決定する、つまり温度に湿度を加味した上での安否監視を実現することができる。
【０１４３】
●安否監視システム（３）●
次に、本システムのさらに別の実施の形態について、先に説明した実施の形態と異なる部分を中心に説明する。ここで、本実施の形態は、ユーザが住居を外出している間、本サーバは監視情報の送信の要否の判定と、監視情報の送信とを行わない点において、これまでに説明した実施の形態と異なる。
【０１４４】
図２２は、本システムの実施の形態を示すネットワーク構成図である。本システム１３は、１のユーザに対して少なくとも１の外出操作部４１を有する。
【０１４５】
外出操作部４１は、ユーザなどにより操作される機器又はプログラムである。ここで、本実施の形態では、外出操作部４１は中継器３に設けられたスイッチである。
【０１４６】
なお、外出操作部４１は、中継器３とは独立した機器であってもよい。
【０１４７】
また、外出操作部４１は、ユーザがもつパーソナルコンピュータなどの機器にインストールできるプログラムであってもよい。
【０１４８】
外出操作部４１は、通信ネットワーク４を介して、本サーバ２３に接続されている。
【０１４９】
●本サーバについて
図２３は、本サーバの実施の形態を示すブロック図である。本サーバ２３は、先に説明した実施の形態で示した本サーバ２１が有する構成の他に、外出情報受信部２０７を有してなる。
【０１５０】
外出情報受信部２０７は、外出操作部４１が操作されたときに、外出操作部４１が出力する外出情報を受信する。外出情報とは、ユーザが部屋Ｒから外出する旨の情報、すなわち、そのユーザが部屋Ｒ（Ｒ１、Ｒ２、Ｒ３）に所在しない旨の情報である。
【０１５１】
外出情報受信部２０７は、通信ネットワーク４を介して、外出操作部４１と接続している。外出情報受信部２０７は、外出操作部４１が出力する外出情報を、この外出情報を出力した外出操作部４１を特定する外出操作部ＩＤと共に、受信する。
【０１５２】
監視情報送信部２０４は、外出情報受信部２０７から取得した外出情報に基づいて、外出操作部ＩＤに対応するユーザの監視について、非監視モードに移行することを決定する。
【０１５３】
なお、監視モードとは、監視情報を端末ＴＭに送信可能な状態である。一方、非監視モードとは、監視情報を端末に送信しない状態である。すなわち、監視情報送信部２０４が監視モードのときは、室温情報等に基づいて監視情報を送信する。一方、監視情報送信部２０４が非監視モードのときは、室温情報等に関わらず監視情報を送信しない。
【０１５４】
なお、監視情報送信部２０４は、非監視モードであっても、室温センサＴＳ等の情報を取得していてもよい。
【０１５５】
監視情報送信部２０４は、非監視モード中に、ユーザが部屋Ｒ１、Ｒ２、Ｒ３のいずれかに所在している旨の所在情報を受信したとき、監視モードに移行する。
【０１５６】
●外出操作部ＩＤについて
外出操作部ＩＤとは、外出操作部４１ごとにユニークに設定された識別子である。外出操作部ＩＤは、ユーザＩＤと対応づけられて、記憶部ＤＢが有する不図示のテーブルに記憶されている。外出操作部ＩＤは、本システム１３内に外出操作部４１が複数ある場合に、監視情報送信部２０４がモードを非監視モードに移行するユーザを識別するために用いられる。
【０１５７】
以上説明した実施の形態によれば、本サーバ２３は、ユーザが外出しているときは非監視モードに移行するので、監視情報の送信の要否の判定等の不要な情報処理の実行を抑制することができる。
【０１５８】
また、以上説明した実施の形態によれば、本サーバ２３は所在情報を受信すると自動的に監視モードに移行するので、確実にモードを変更することができる。
【０１５９】
なお、本サーバ２３は、外出情報を受信したときに、端末ＴＭにユーザが外出した旨を通知するようにしてもよい。
【０１６０】
●安否監視システム（４）●
次に、本システムのさらに別の実施の形態について、先に説明した実施の形態と異なる部分を中心に説明する。ここで、本実施の形態は、ユーザが住居に帰宅したときに、非監視モードであった本システムが監視を再開する点において、これまでに説明した実施の形態と異なる。
【０１６１】
図２４は、本システムの実施の形態を示すネットワーク構成図である。本システム１４は、１のユーザに対して少なくとも１の帰宅操作部４２を有する。
【０１６２】
帰宅操作部４２は、ユーザなどにより操作される機器又はプログラムである。ここで、本実施の形態では、帰宅操作部４２は中継器３に設けられたスイッチである。
【０１６３】
なお、帰宅操作部４２は、中継器３とは独立した機器であってもよい。
【０１６４】
また、帰宅操作部４２は、外出操作部４１と同一の機器であってもよい。
【０１６５】
また、帰宅操作部４２は、ユーザがもつパーソナルコンピュータなどの機器にインストールできるプログラムであってもよい。
【０１６６】
●本サーバについて
図２５は、本サーバの実施の形態を示すブロック図である。本サーバ２４は、先に説明した実施の形態で示した本サーバ２２が有する構成の他に、帰宅情報受信部２０８を有する。
【０１６７】
帰宅情報受信部２０８は、帰宅操作部４２が出力する帰宅情報を受信する。帰宅情報とは、ユーザが帰宅した旨の情報、すなわち、そのユーザが部屋Ｒ（Ｒ１、Ｒ２、Ｒ３）のいずれかに所在する旨の情報である。
【０１６８】
帰宅情報受信部２０８は、通信ネットワーク４を介して、帰宅操作部４２と接続している。帰宅情報受信部２０８は、帰宅操作部４２が出力する帰宅情報を、この帰宅情報を出力した帰宅操作部４２を特定する帰宅操作部ＩＤと共に、受信する。
【０１６９】
監視情報送信部２０４は、非監視モード中に、帰宅情報受信部２０８から取得した帰宅情報に基づいて、帰宅操作部ＩＤに対応するユーザの監視について、監視モードに移行することを決定する。
【０１７０】
●帰宅操作部ＩＤについて
帰宅操作部ＩＤとは、帰宅操作部４２ごとにユニークに設定された識別子である。帰宅操作部ＩＤは、ユーザＩＤと対応づけられて、記憶部ＤＢが有する不図示のテーブルに記憶されている。帰宅操作部ＩＤは、本システム１４内に帰宅操作部４２が複数ある場合に、監視情報送信部２０４がモードを監視モードに移行するユーザを識別するために用いられる。
【０１７１】
以上説明した実施の形態によれば、本サーバ２４は、ユーザが帰宅したときに確実に監視モードに移行することができる。
【０１７２】
●安否監視システム（５）●
次に、本システムのさらに別の実施の形態について、先に説明した実施の形態と異なる部分を中心に説明する。ここで、本実施の形態は、監視者が、判定時間又は許容温度等を変更できる点において、これまでに説明した実施の形態と異なる。
【０１７３】
●本サーバについて
図２６は、本サーバの実施の形態を示すブロック図である。本サーバ２５は、先に説明した実施の形態で示した本サーバ２１が有する構成の他に、信頼度情報受信部２０９と、更新部２１０と、を有する。
【０１７４】
信頼度情報受信部２０９は、端末ＴＭが出力する信頼度情報を受信する。信頼度情報とは、後述するように、端末ＴＭを所持する監視者等により入力される、監視情報の信頼度を示す情報である。
【０１７５】
更新部２１０は、信頼度情報受信部２０９が受信した信頼度情報を取得する。また、更新部２１０は、信頼度情報に基づいて、記憶部ＤＢに記憶されている許容室温と判定時間と（以下「判定条件」ともいう。）の少なくともいずれか一方を更新する。
【０１７６】
また、更新部２１０は、許容快適度が記憶部ＤＢに記憶されている場合は、許容快適度と判定時間の少なくともいずれか一方を更新する。
【０１７７】
●端末ＴＭについて
本実施例における端末ＴＭは、信頼度情報入力部と、不図示の信頼度情報送信部と、を有する。
【０１７８】
信頼度情報入力部は、端末ＴＭを所持する監視者等が、監視情報に対する信頼度を入力するための手段である。ここで、監視情報に対する信頼度とは、監視情報に対する監視者等の評価を示す情報である。信頼度は、監視者等によって端末ＴＭに入力される。つまり、監視情報を受信した端末ＴＭを所持する監視者は、端末ＴＭに送信された監視情報が、例えば、適切な時に送信されたか否かを、信頼度を入力することにより評価することができる。
【０１７９】
図２７は、端末ＴＭに表示された、監視情報５ｃと、信頼度情報入力部５ａ及び５ｂとの例を示す。本実施の形態では、端末ＴＭのディスプレイ５上に、監視情報５ｃと、信頼度情報入力部５ａ及び５ｂとが表示されている。なお、本実施の形態では、端末ＴＭのディスプレイ５はタッチパネル式ディスプレイである。
【０１８０】
●判定条件の更新について
図２８は、判定時間更新処理を示すフローチャートである。
【０１８１】
先ず、本サーバ２５は、信頼度情報受信部２０９により、信頼度情報を受信する（Ｓ３１）。
【０１８２】
次いで、本サーバ２５は、更新部２１０により、信頼度情報に基づいて、判定時間の更新の要否の判定をする（Ｓ３２）。
【０１８３】
次いで、本サーバ２５は、更新部２１０により、判定時間の更新が必要と判定したときは、記憶部ＤＢに記憶されている判定時間を更新する（Ｓ３３）。
【０１８４】
図２９は、許容室温更新処理を示すフローチャートである。
【０１８５】
先ず、本サーバ２５は、信頼度情報受信部２０９により、信頼度情報を受信する（Ｓ４１）。
【０１８６】
次いで、本サーバ２５は、更新部２１０により、信頼度情報に基づいて、許容室温の更新の要否の判定をする（Ｓ４２）。
【０１８７】
次いで、本サーバ２５は、更新部２１０により、許容室温の更新が必要と判定したときは、記憶部ＤＢに記憶されている許容室温を更新する（Ｓ４３）。
【０１８８】
ここで、判定条件の更新の要否の判定方法について、具体的なフローの例を示して説明する。
【０１８９】
監視者は、監視情報を受信した後、例えば、実際にユーザの安否を確認する。そして、監視者は、監視情報が正しかった場合には、「正しかった」と表示されている信頼度情報入力部５ａを押す。一方、監視情報が誤りであった場合、例えば、ユーザの安否に問題がなかった場合には、「誤っていた（報知感度を下げてほしい）」と表示されている信頼度情報入力部５ｂを押す。
【０１９０】
すなわち、監視者は、不要な監視情報が端末ＴＭに送信されるときには、信頼度情報入力部５ｂを押すことにより、許容室温を上げる又は判定時間を長くする更新をする。この更新により、監視者が、不要な監視情報を受信することによる、過度な監視負担を軽減することができる。
【０１９１】
更新部２１０は、信頼度情報入力部５ａが押された信頼度情報を取得した場合には、判定条件の更新を行わない。一方、信頼度情報入力部５ｂが押された信頼度情報を取得した場合には、判定条件の更新を行い、記憶（上書き）する。
【０１９２】
本実施の形態においては、判定条件の更新は、報知感度を下げる更新、つまり、許容室温を上げる又は判定時間を長くする更新である。
【０１９３】
ここで、例えば許容室温や判定時間の変更幅は、あらかじめ記憶部ＤＢに記憶されている。
【０１９４】
なお、監視者が信頼度情報を入力する機会は、端末ＴＭが監視情報を受信した時に限られず、任意のタイミングで入力可能としてもよい。
【０１９５】
また、信頼度情報は、本実施の形態で示した、許容室温を上げる又は判定時間を長くする情報だけではなく、許容室温を下げる又は判定時間を短くするための情報でもよい。例えば、監視者が、本システムから知り得る情報以外の情報（例えば、介護士の訪問記録により体調不良の疑いがある場合など）に基づいて、判定時間を短くしたい場合等にも操作できる。
【０１９６】
以上説明した実施の形態によれば、本サーバ２５は、信頼度情報に基づいて判定条件を変更することができる。すなわち、本サーバ２５は、ユーザごとに判定条件を学習することで、好適な安否監視を実現することができる。
【０１９７】
つまり、本サーバ２５の導入時にはどのユーザに対しても同一の判定条件を設定しておいた場合も、信頼度情報が入力されることによる学習を繰り返すことで、判定条件が変更されていく。したがって、本サーバ２５は、信頼度情報によって、判定条件をユーザごとに好適な条件に調整することができる。
【０１９８】
●安否監視システム（６）●
次に、本システムのさらに別の実施の形態について、先に説明した実施の形態と異なる部分を中心に説明する。ここで、本実施の形態は、判定時間の変更の要否を本システム自身が判定する点において、説明した実施の形態と異なる。
【０１９９】
●本サーバについて
図３０は、本サーバの実施の形態を示すブロック図である。本サーバ２６は、先に説明した実施の形態で示した本サーバ２１が有する構成の他に、第２更新部２１１を有する。
【０２００】
第２更新部２１１は、平均滞在室温算出部２０３から平均滞在室温を取得する。
【０２０１】
第２更新部２１１は、平均滞在室温に基づいて、記憶部ＤＢに記憶されている判定時間を更新する。
【０２０２】
図３１は、判定時間更新処理を示すフローチャートである。
【０２０３】
先ず、本サーバ２６は、室温情報受信部２０１により、室温情報と室温センサＩＤとを受信する（Ｓ５１）。
【０２０４】
次いで、本サーバ２６は、所在情報受信部２０２により、所在情報と人感センサＩＤとを受信する（Ｓ５２）。
【０２０５】
次いで、本サーバ２６は、平均滞在室温算出部２０３により、平均滞在室温を算出する（Ｓ５３）。
【０２０６】
次いで、本サーバ２６は、第２更新部２１１により、平均滞在室温に基づいて、判定時間の更新の要否の判定をする（Ｓ５４）。
【０２０７】
次いで、本サーバ２６は、第２更新部２１１により、許容室温の更新が必要と判定したときは、記憶部ＤＢに記憶されている判定時間を更新し、記憶（上書き）する（Ｓ５５）。
【０２０８】
図３２は、更新前の判定テーブルの例を示す。この例においては、ユーザｕ１の判定時間は６０分である。
【０２０９】
図３３は、更新後の判定テーブルの例を示す。この例においては、ユーザｕ１の判定時間は４０分となっている。
【０２１０】
上記のように更新される例として、例えば、平均滞在室温が連続して高い値、すなわち、許容室温に近い値が計測された場合がある。この場合には、第２更新部２１１は、ユーザの異変のおそれが高いため、判定時間を短縮して、報知感度を上げる。
【０２１１】
以上説明した実施の形態によれば、本サーバ２６は、先に説明した実施の形態のように監視者が入力した監視情報に対する信頼度情報に基づくことなく、判定時間を好適な条件に設定することができる。
【０２１２】
●安否監視システム（７）●
次に、本システムのさらに別の実施の形態について、先に説明した実施の形態と異なる部分を中心に説明する。ここで、本実施の形態は、監視情報を送信する端末が、監視レベルに応じて選択される点において、これまでに説明した実施の形態と異なる。
【０２１３】
図３４は、本システムの実施の形態を示すネットワーク構成図である。本システム１５は、１のサーバに対して複数の端末ＴＭ（ＴＭ１、ＴＭ２、ＴＭ３）を有する。
【０２１４】
●本サーバについて
図３５は、本サーバの実施の形態を示すブロック図である。本サーバ２７は、先に説明した実施の形態で示した本サーバ２１が有する構成の他に、送信先選択部２１２を有する。
【０２１５】
送信先選択部２１２は、監視情報送信部２０４から監視情報と、監視レベルを取得する。
【０２１６】
送信先選択部２１２は、監視情報送信部２０４から取得した、監視レベルに基づいて、どの端末ＴＭ（ＴＭ１、ＴＭ２、ＴＭ３）に監視情報を送信するか選択する。
【０２１７】
図３６は、本システム１５が備える、複数の温度範囲と、監視レベルと、監視情報に含まれる送信先端末ＩＤとが関連付けて記憶されている監視レベルテーブル６７に記憶されている情報の例を示す模式図である。監視レベルには、Ｌ４、Ｌ５、Ｌ６が設定されている。また、監視レベルは、許容室温によって区分けされている。
【０２１８】
なお、監視レベルは、複数の快適度範囲と、監視情報に含まれる送信先端末ＴＤと関連付けて記憶されていてもよい。この場合、監視レベルは、許容快適度によって区分けされている。
【０２１９】
加えて、監視レベルテーブル６７は、監視レベルに応じてどの端末ＴＭに監視情報を送信するかの関連付けを示している。すなわち、監視レベルがＬ５の場合には端末ＴＭ１のみに監視情報を送信する。一方、監視レベルがＬ６の場合には、端末ＴＭ１と端末ＴＭ２とに監視情報を送信する。
【０２２０】
つまり、監視レベルがＬ５の場合は、監視レベルＬ６に比べて異変のおそれが小さいため、監視情報送信部２０４は、例えば近隣に住む近親者が所持する端末ＴＭ１にのみ監視情報を送信する。一方、監視レベルＬ６の場合は、異変のおそれが大きいため、監視情報送信部２０４は、例えば近親者が所持する端末ＴＭ１に加えて、介護士が所持する端末ＴＭ２にも監視情報を送信する。
【０２２１】
送信先選択部２１２は、本サーバ２７は、選択した端末ＴＭ（ＴＭ１、ＴＭ２、ＴＭ３）に対して、監視情報を送信する。
【０２２２】
以上説明した実施の形態によれば、本サーバ２７は、監視レベルに応じて、異なる端末ＴＭに監視情報を送信することができる。
【０２２３】
●安否監視システム（８）●
次に、本システムのさらに別の実施の形態について、先に説明した実施の形態と異なる部分を中心に説明する。ここで、先に説明した実施の形態は、１のユーザの監視情報を１の端末で受信していた。これに対して、本実施の形態は、複数のユーザの監視情報を１の端末で受信できる点において、これまでに説明した実施の形態と異なる。
【０２２４】
図３７は、本システムの実施の形態を示すネットワーク構成図である。本システム１６は、少なくとも１の特別端末５１を有する。
【０２２５】
特別端末５１は、本サーバ２８が管理する複数のユーザについての監視情報を受信する。
【０２２６】
なお、１の特別端末５１は、複数のサーバが管理する複数のユーザについての監視情報を受信してもよい。
【０２２７】
●本サーバについて
本サーバ２８が有する記憶部ＤＢには、本実施例においては、室温センサＩＤと、人感センサＩＤと、特別端末ＩＤと、ユーザの属性を示す属性情報と、を関連付けて記憶されている。ここで、属性情報は、例えば、ユーザの氏名や、住所などを含む情報である。
【０２２８】
監視情報送信部２０４は、属性情報を含む監視情報を生成して、特別端末ＩＤに基づいて、監視情報を特別端末に送信する。
【０２２９】
●特別端末ＩＤについて
特別端末ＩＤとは、特別端末ごとにユニークに設定された識別子である。特別端末ＩＤは、本システム１６内に特別端末ＴＭが複数ある場合に、監視情報送信部２０４が監視情報を送信する特別端末を識別するために用いられる。
【０２３０】
図３８は、特別端末５１のディスプレイ５２の一例を示す。
【０２３１】
特別端末５１のディスプレイ５２には、特別端末５１で管理されるユーザ情報５３が複数表示されている。同図の例では、１０３号室の甲さんについての監視情報を受信したときの例を示している。この例では、特別端末５１のディスプレイ５２は、メッセージと、対応するユーザの氏名と、住所である部屋番号とを、ポップアップ表示５４で監視者に報知する。
【０２３２】
以上説明した実施の形態によれば、本サーバ２８は、複数のユーザの監視情報を１の特別端末５１に送信できる。その結果、１の監視者が、複数のユーザの安否監視を、１の特別端末５１により管理することができる。この形態においては、例えば、地域包括ケアシステムにおける地域包括ケアセンターや、訪問看護ステーションにおいて、介護士などが地域における複数の独居の高齢者の安否監視をする際にも有用である。
【符号の説明】
【０２３３】
１１    システム
２１    サーバ
３    中継器
４    通信ネットワーク
ＴＳ    室温センサ
ＰＳ    人感センサ
ＴＭ    端末
２０１  室温情報受信部
２０２  所在情報受信部
２０３  平均滞在室温算出部
２０４  監視情報送信部
ＤＢ    記憶部
【図１】
2015056031.tif 000003
【図２】
2015056031.tif 000004
【図３】
2015056031.tif 000005
【図４】
2015056031.tif 000006
【図５】
2015056031.tif 000007
【図６】
2015056031.tif 000008
【図７】
2015056031.tif 000009
【図８】
2015056031.tif 000010
【図９】
2015056031.tif 000011
【図１０】
2015056031.tif 000012
【図１１】
2015056031.tif 000013
【図１２】
2015056031.tif 000014
【図１３】
2015056031.tif 000015
【図１４】
2015056031.tif 000016
【図１５】
2015056031.tif 000017
【図１６】
2015056031.tif 000018
【図１７】
2015056031.tif 000019
【図１８】
2015056031.tif 000020
【図１９】
2015056031.tif 000021
【図２０】
2015056031.tif 000022
【図２１】
2015056031.tif 000023
【図２２】
2015056031.tif 000024
【図２３】
2015056031.tif 000025
【図２４】
2015056031.tif 000026
【図２５】
2015056031.tif 000027
【図２６】
2015056031.tif 000028
【図２７】
2015056031.tif 000029
【図２８】
2015056031.tif 000030
【図２９】
2015056031.tif 000031
【図３０】
2015056031.tif 000032
【図３１】
2015056031.tif 000033
【図３２】
2015056031.tif 000034
【図３３】
2015056031.tif 000035
【図３４】
2015056031.tif 000036
【図３５】
2015056031.tif 000037
【図３６】
2015056031.tif 000038
【図３７】
2015056031.tif 000039
【図３８】
2015056031.tif 000040